(57)【要約】【課題】  除雪、土木、農作業用具の持ち手部分を改善して、使い易く作業姿勢も改善出来る器具を提供する。【解決手段】  Ｕ字ベースと補助ハンドル本体で作業用具の棒状の柄を上下から挟み込むように合わせ取り付け穴にボルトを貫通させて一体として、作業用具の棒状の柄に取り付け、作業者の使いやすい位置でボルトを支点として補助ハンドル本体を起こし，Ｕ字ベースと補助ハンドル本体で作業用具の棒状の柄を挟み込むことにより補助ハンドル本体を固定出来ることを特徴とする作業用具補助ハンドル。【選択図】図３
2017072017.tif 000002
【特許請求の範囲】
【請求項１】
Ｕ字ベースの両端と補助ハンドル本体に貫通した取り付け穴を設け、下側のＵ字ベースと上側の補助ハンドル本体を作業用具の棒状の柄を上下から挟み込むように合わせて、ボルトを貫通させ一体として取り付け、ボルトを支点として補助ハンドル本体を起こし，Ｕ字ベースと補助ハンドル本体で作業用具の棒状の柄を挟み込むことにより補助ハンドル本体を固定する作業用具補助ハンドル。
【発明の詳細な説明】
【技術分野】
【０００１】  本発明は除雪、土木、農作業用具の持ち手部分を改善して、使い易く作業姿勢も改善出来る器具に関するものである。
【背景技術】
【０００２】  従来、除雪、土木作業用のスコップや農作業用のクワ等の作業用具は、持ち手の柄の部分が棒状のために、作業時には前方の持ち手は柄の下の部分を、手首をひねる様にして掴むみ、手首や腕に負担がかかり疲れやすく、上体も前かがみ姿勢になり腰に負担がかかっていた。
また、上体の前かがみ姿勢の緩和のために、調整式の雪ハネ用補助具が考えられている（特許文献１参照）。
また、上体の前かがみ姿勢の緩和のために、固定式の補助ハンドル付きスコップが考えられている（特許文献２参照）。
【先行技術文献】
【特許文献】
【０００３】
【特許文献１】  特開２００３−１０５７２７号広報
【特許文献２】  特開２０１４−４７６１８号広報
【発明の概要】
【発明が解決しようとする課題】
【０００４】  そのため、次のような問題点があった。
（イ）作業用具を使用する時、前方の持ち手は棒状の柄を手首をひねり柄の下側から掴まなければならず、手首や腕に負担がかかり疲れやすかった。
（ロ）前方の持ち手部分が棒状の柄のため、体の横方向の動きに比べて、正面前方に向けて腕を動かしにくかった。
（ハ）前方の棒状の柄を掴む持ち手の位置が低くなり、上半身が前かがみの姿勢となって腰へ負担がかかっていた。
（ニ）前方の持ち手は棒状の柄を下側から掴んでいるため、下向きの方向の作業には力が入れにくく、作業方向によっては持ち替えなければならず、作業効率が悪くなっていた。
（ホ）作業時に作業用具の先端に左右方向の力が均等にかからないと、左右どちらかに回転する向きに作業用具が振られて棒状の柄にねじれるように力がかかるために、持ち手にさらに力を入れなければならず、支えきれないと作業が中断して効率が悪く、また後方の持ち手部分も棒状の柄の場合、力を支えるために更に力が必要となっていた。
（ヘ）棒状の柄を持ち手とする形状の作業用具が多くあり、柄の長さ太さ等の形状や寸法はほぼ共通しており、また作業時の持ち方も同じにもかかわらず、簡単に付け換えして共通の課題を解決し使用できる作業用補助具がなかった。
（ト）棒状の柄の上部に調整式の雪ハネ用補助具が考えられているが、作業用具本体の棒状の柄と同じ向きのため高さの調整をして上体の姿勢の改善はされるが、簡単に取り付け位置を調整したり、その他の作業用具に付け替えて使用することはできない。
（チ）棒状の柄の上部に補助ハンドルを固定する補助ハンドル付きスコップが考えられているが、作業用具本体の棒状の柄と同じ向きのため上体の姿勢の改善はされるが、前方の持ち手の掴み方は従来の方法と同じで、また収納時には邪魔になり、またその他の作業用具に付け替えて使用することもできなかった。
本発明はこれらの問題点を解決するためになされたものである。
【課題を解決するための手段】
【０００５】Ｕ字ベース（１）の両端と補助ハンドル本体（３）に貫通した取り付け穴（４）を設ける。補助ハンドル本体（３）の上部に、作業用具の棒状の柄（６）に対して交差する向きにグリップ（５）を設ける。補助ハンドル本体（３）の底部の断面の角の片方に半円の丸みを設ける。下側のＵ字ベース（１）と上側の補助ハンドル本体（３）を作業用具の棒状の柄（６）と平行になるように倒した状態で、作業用具の棒状の柄（６）を上下から挟み込むように合わせる。Ｕ字ベース（１）の両端と補助ハンドル本体（３）に貫通した取り付け穴（４）の位置を合わせて、ボルト（２）を貫通させて一体として、作業用具の棒状の柄（６）に取り付ける。作業用具の棒状の柄（６）に一体として取り付けたＵ字ベース（１）と倒した状態の補助ハンドル本体（３）を、作業者の使いやすい位置にスライドするように移動し、ボルト（２）を支点として補助ハンドル本体（３）を起こし，Ｕ字ベース（１）と補助ハンドル本体（３）の底部で作業用具の棒状の柄（６）を挟み込むことにより補助ハンドル本体（３）を固定した状態にする。  以上を特徴とする、作業用具補助ハンドルである。
【発明の効果】
【０００６】（イ）作業用具を使用する時、前方の持ち手は補助ハンドルのグリップを上側から手首をひねらずに掴むことが出来るため、手首や腕の負担が減る。
（ロ）体の横方向や、正面前方に向けて腕を動かし良くなる。
（ハ）前方の持ち手の位置が上がり、上半身の前かがみの姿勢が緩和され、腰への負担が減り、楽になる。
（ニ）前方の持ち手は補助ハンドルのグリップを上側から掴んでいるため、下向きの方向にも力を入れやすく、作業がしやすくなる。
（ホ）作業用具の棒状の柄の前方に補助ハンドルのグリップが交わる向きに取り付けるため、作業用具の先端に力がかかり左右どちらかに回転する向きに作業用具が振られても、前側の持ち手で楽に支えることが出来る。
（ヘ）棒状の柄を持ち手とする形態の作業用具は職種は違っても、柄の長さ太さ等の形状や寸法はほぼ共通しいるので、簡単に付け換えし使用できる。
（ト）作業用具本体の棒状の柄と交わる向きで補助ハンドルのグリップを取り付けるため、持ち手は上側から掴み易く力も入れ易い、また簡単に取り付けることが出来て、位置の調整も簡単に出来る。
（チ）補助ハンドルは一本のボルトで簡単に取り付けることが出来、また補助ハンドルを起こすことで簡単に作業が出来るように固定して、収納時には補助ハンドルを倒し折り畳みコンパクトに出来る。
（リ）作業用具の棒状の柄に複数取り付けることが出来る。
（ヌ）作業用具以外の釣竿や運道具などの棒状の柄にも応用して利用できる。
【図面の簡単な説明】
【０００７】
【図１】  本発明の正面図である。
【図２】  本発明の側面図である。
【図３】  本発明の斜視図である。
【発明を実施するための形態】
【０００８】  以下、本発明の実施の形態について説明する。
（イ）金属製又は合成樹脂製の板で作業用具の棒状の柄（６）が入る、Ｕ字ベース（１）を設け、その両端にボルト（２）を通すことのできる取り付け穴（４）を縦や横に複数設ける。
（ロ）金属製又は合成樹脂製又は木製で補助ハンドル本体（３）を設け、上部、に持ち手で掴むためのグリップ（５）を設け、軸部にボルト（２）を通すことの出来る取り付け穴（４）を複数設ける。
（ハ）グリップ（５）は、作業用具の棒状の柄（６）に対して交差する向きに設ける。
（ニ）補助ハンドル本体（３）の底部の断面の角の片方に半円の丸みを設ける。
（ホ）Ｕ字ベース（１）の間に補助ハンドル本体（３）の軸部を入れて、Ｕ字ベース（１）の両端に設けた取り付け穴（４）と補助ハンドル本体（３）の軸部に設けた取り付け穴（４）の位置を合わせてボルト（２）を貫通させる。
（ヘ）ボルト（２）にナット（７）を付ける
本発明は以上のような構成である。
これを使用するときは、
（ト）下側のＵ字ベース（１）と上側の補助ハンドル本体（３）を作業用具の棒状の柄（６）と平行になるように倒した状態で、作業用具の棒状の柄柄（６）を上下から挟み込むように合わせる。
（チ）Ｕ字ベース（１）の両端と補助ハンドル本体（３）に貫通した取り付け穴（４）の位置を合わせて、ボルト（２）を貫通させて一体として、作業用具の棒状の柄（６）に取り付ける。
（リ）作業用具の棒状の柄（６）に一体として取り付けたＵ字ベース（１）と倒した状態の補助ハンドル本体（３）を、作業者の使いやすい位置にスライドするように移動して位置決めする。
（ヌ）ボルト（２）を支点として補助ハンドル本体（３）を起こし，Ｕ字ベース（１）と補助ハンドル本体（３）の底部で作業用具の棒状の柄（６）を挟み込むことにより補助ハンドル本体（３）を固定し、作業使用状態にする。
（ル）補助ハンドル本体（３）を倒すと固定した状態から作業用具の棒状の柄の上を自由に移動できる。
（ヲ）補助ハンドル本体（３）を倒し折り畳み、コンパクトにして収納できる。
（ワ）Ｕ字ベース（１）と補助ハンドル本体（３）を貫通しているボルト（２）を抜くことにより簡単に外して、その他の作業用具の棒状の柄（６）に付け替えて使うことができる。
以上を特徴とする、作業用具補助ハンドルである。
【符号の説明】
【０００９】１  Ｕ字ベース
２  ボルト
３  補助ハンドル本体
４  取り付け穴
５  グリップ
６  作業用具の棒状の柄
７  ナット
【図１】
2017072017.tif 000003
【図２】
2017072017.tif 000004
【図３】
2017072017.tif 000005